(57)【要約】【課題】  汚れても手入れが容易で、耐久性が有り管理が容易な装飾装置を提供する。【解決手段】  上下の横材２１，２１及び左右の縦材２２，２２によって矩形状の枠主体２ａを構成し、前記枠主体２ａの内部に複数本の仕切り材２３，２３によって構成した仕切り枠２３ａを設け、枠主体２ａの内部に、横材２１、縦材２２及び／又は仕切り枠２３に固定するようにして装飾具２ｂを設け、枠主体２ａの背面側にシート材３を貼設してなる装飾枠体２を、複数枚左右に並列して回動可能に連結して装飾装置１を形成した。【選択図】  図１
0003102789.tif 000002
【実用新案登録請求の範囲】
【請求項１】
上下の横材及び左右の縦材によって矩形状の枠主体を構成し、前記枠主体の内部に複数本の仕切り材によって構成した仕切り枠を設け、前記枠主体の内部に、前記横材、縦材及び／又は仕切り枠に固定するようにして装飾具を設け、前記枠主体の背面側にシート材を貼設してなる装飾枠体を、複数枚左右に並列して回動可能に連結してなることを特徴とする装飾装置。
【請求項２】
前記装飾枠体の前面側に透明又は半透明な板材を設けて枠主体の内部を閉塞してなる請求項１に記載の装飾装置。
【請求項３】
装飾具は花弁若しくは家紋の形態で、シート材は和紙である請求項１又は２に記載の装飾装置。
【請求項４】
透明又は半透明な板材はガラス若しくは硬質樹脂板で、装飾枠体の内部に塵埃が滲入するのを防止してなる請求項２に記載の装飾装置。
【考案の詳細な説明】
【技術分野】
【０００１】
本考案は、板状の装飾枠体を複数枚左右に並列して回動可能に連結してなる屏風状、衝立障子状の装飾装置に関するもので、例えば、高さが３０センチメートルで横幅が２５センチメートル程度のサイズの装飾枠体であればお悔やみ事の祭壇の遺骨やお位牌の背景装飾用として、また高さが１メートル以上で横幅が５０センチ以上のサイズであれば一般家庭における屏風、衝立障子、若しくは仕切り枠等として使用するものである。
【背景技術】
【０００２】
従来、屏風状の装飾装置としては、水引にて編み上げられた水引織物若しくは立体的に形成された水引装飾を屏風本体に装着してなることを特徴とする水引屏風が周知である。即ち、前記従来の装飾装置は、屏風本体と、該屏風本体の表面に被装される水引織物とを備えている。屏風本体は、例えば太さ１２〜１５ｍｍの板材からなる骨材を榾縛りにより格子状に組み付けた一対の下地枠と、各下地枠の外表面に張着された被装材とで構成されている。被装材は、前記下地枠の表面に和紙で被装された蓑張り層（図示せず）と、その上に反古紙で被装されたべた張り層（図示せず）と、更にその上に被装された袋張り層（図示せず）とで形成されている。水引織物は、複数本の縦水引と横水引で編み上げられた文字、図柄、紋様等を備えた装飾シートからなるもので、各水引が解れないように表面を接着剤にて固着されている。
【特許文献１】特開平１０−１２７４７３号公報
【考案の開示】
【考案が解決しようとする課題】
【０００３】
従来の装飾装置にあっては、水引にて編み上げられた水引織物若しくは立体的に形成された水引装飾等の被装材を、板材からなる骨材を榾縛りにより格子状に組み付けた一対の下地枠からなる屏風本体の外表面に張着して構成されたものであるから、屏風本体に装着された水引織物若しくは立体的に形成された水引装飾等の被装材に塵埃が付着して汚れたり、日焼けにより変色し易く、また、耐久性も悪いため装飾装置の管理が難しいといった問題があり改善が望まれていた。
【０００４】
本考案は、装飾性が著しく良好であって利用用途が広範であり、しかも汚れても手入れが容易で、耐久性が有り管理が容易な装飾装置を提供することを目的とする。
【課題を解決するための手段】
【０００５】
上記課題を解決するために請求項１記載の考案は、上下の横材及び左右の縦材によって矩形状の枠主体を構成し、前記枠主体の内部に複数本の仕切り材によって構成した仕切り枠を設け、前記枠主体の内部に、前記横材、縦材及び／又は仕切り枠に固定するようにして装飾具を設け、前記枠主体の背面側にシート材を貼設してなる装飾枠体を、複数枚左右に並列して回動可能に連結してなることを特徴とする装飾装置である。
【０００６】
また、請求項２記載の考案は、前記装飾枠体の前面側に透明又は半透明な板材を設けて枠主体の内部を閉塞してなる請求項１に記載の装飾装置である。
【０００７】
また、請求項３記載の考案は、装飾具は花弁若しくは家紋の形態で、シート材は和紙である請求項１又は２に記載の装飾装置である。
【０００８】
また、請求項４記載の考案は、透明又は半透明な板材はガラス若しくは硬質樹脂板で、装飾枠体の内部に塵埃が浸入するのを防止してなる請求項２に記載の装飾装置である。
【考案の効果】
【０００９】
本考案の装飾装置によれば、上下の横材及び左右の縦材によって矩形状の枠主体を構成し、前記枠主体の内部に複数本の仕切り材によって構成した仕切り枠を設け、前記枠主体の内部に、前記横材、縦材及び／又は仕切り枠に固定するようにして装飾具を設けるとともに枠主体の背面側にシート材を設けているので、仕切り材、装飾具及びシート材との組み合わせにより装飾的効果が高くて実用価値があり、また耐久性が良く、また、装飾具は背面側に貼設したシート材により汚れにくい。そして、シート材が汚れた場合には、シート材を貼りかえることによって管理が容易になり、しかも多種の用途に利用することができる実用的価値の高いものである。また、遺骨やお位牌の背景装飾用として使用すれば、花弁若しくは家紋の形態の装飾具が目立つため、前面に置かれた遺骨やお位牌が引き立つものである。
【考案を実施するための最良の形態】
【００１０】
上下の横材及び左右の縦材によって矩形状の枠主体を構成し、枠主体の内部に、仕切り枠を設けて装飾具を固定し、枠主体の背面側にシート材を貼設して装飾枠体を形成し、耐久性が良い枠主体はシート材により汚れにくくするとともに、耐久性の悪いシート材は、容易に貼りかえられるようにした。
【実施例】
【００１１】
以下、実施例を示す図面に基づいて本考案を詳細に説明する。図１は本考案に係る第１実施例の装飾装置の斜視図、図２（ａ）は図１の装飾装置を構成する装飾枠の正面図、図２（ｂ）は図２（ａ）の装飾枠のＡ−Ａ線での断面図である。
【００１２】
図１、図２（ａ），（ｂ）において、本考案に係る第１実施例の装飾装置１は、一辺で二つに折り畳み自在に形成された一対の装飾枠体２，２と、各装飾枠体２，２の背面側に貼設されるシート材３，３とを備えている。図１に示す装飾枠体２は、例えば、高さが３０センチメートルで横幅が２５センチメートル程度のサイズで、お悔やみ事の祭壇の遺骨やお位牌等の背景装飾用として使用されるものである。
【００１３】
前記装飾枠体２は、上下の横材２１，２１及び左右の縦材２２，２２によって矩形状の枠主体２ａを有し、枠主体２ａの内部には、複数本（図では上下２本）の仕切り材２３，２３によって構成した仕切り枠２３ａを設けている。また、枠主体２ａの内部には、前記仕切り枠２３ａに固定するようにして設けられた装飾具２ｂが配置されている。
前記装飾具２ｂは、厚板状の第１帯板材２４，２４，…及び薄板状の第２帯板材２５，２５，…の複数本を相互に組み込んだり接着して仕切り材２３に固定してあり、全体として花弁の形態で形成され、図面の実施例では麻の葉の形状を示している。
【００１４】
前記装飾装置１は、複数枚（図では２枚）の装飾枠体２が蝶番２７，２７により左右に並列されて回動可能に連結されている構成であるから、９０度程度の角度に開いて屏風状にし、直立させて背景装飾具として利用することができるし、装飾枠体２を重ねて折りたたむことができる。前記装飾枠体２は、前記枠主体２ａの背面側にシート材３が貼設されて装飾効果を高めている。前記シート材３としては、和紙、樹脂とパルプとの混合紙、又は、樹脂シートに和紙をコーテングした和紙状シート等装飾効果の高い紙状のシートが望ましいが、アルミ箔、樹脂シート、洋紙、これらを相互に積層したシート材、布等を使用することもできる。
【００１５】
次に、本考案に係る第２実施例の装飾装置について、図３を参照して説明する。図３は、本考案に係る第２実施例の装飾装置に適用される装飾枠体の側面図である。
【００１６】
図３において、第２実施例の装飾装置は、装飾枠体２の前面側に透明又は半透明な板材２８を設けて枠主体２ａの内部を閉塞してなるものであり、その他の構成は第１実施例の装飾装置１と同じであるので同一構成部分に同一の符号を記載して詳細な説明を省略する。透明又は半透明な板材２８はガラス若しくは硬質樹脂板を使用することができ、装飾枠体２の内部に塵埃が浸入するのを防止している。
【００１７】
次に、本考案に係る第３実施例の装飾装置について、図４を参照して説明する。図４は、本考案に係る第３実施例の装飾装置に適用される装飾枠体の正面図である。
【００１８】
本考案に係る第３実施例の装飾装置３０は、それぞれの一辺で折り畳み自在に形成された複数の装飾枠体３１，３１と、各装飾枠体３１，３１，・・の背面側に貼設されるシート材３，３，・・とを備えている。図４に示す装飾枠体３１は、例えば、高さが１メートルで横幅が５０センチ程度のサイズで、一般家庭における屏風、衝立障子、若しくは仕切り枠等として使用することができる。
【００１９】
前記装飾枠体３１は、上下の横材３２，３２及び左右の縦材３３，３３によって矩形状の枠主体３１ａを構成している。枠主体３１ａの内部には、複数本の横仕切り材３４，３４，・・と、複数本の縦仕切り材３５，３５，・・とによって構成した仕切り枠３６を設けている。また、枠主体３１ａの内部には、仕切り枠３６に固定するようにして設けられた装飾具３１ｂが配置されている。装飾具３１ｂは、厚板状の第１帯板材３７、薄板状の第２帯板材３８及び湾曲した細工用板材３９の適宜の本数からなり第１帯板材３７，第２帯板材３８，及び細工用板材３９を相互に組込んだり、直接に縦仕切り材３５に接着して菊の花弁の形態となっている。前記枠主体３１ａの背面側には、シート材３が貼設され、また装飾枠体３１が複数枚が蝶番２７，２７により左右に並列されて回動可能に連結されて装飾装置が構成されている。
【００２０】
次に、本考案に係る第４実施例の装飾装置について、図５を参照して説明する。図５は、本考案に係る第４実施例の装飾装置に適用される装飾枠体の一部の正面図である。
【００２１】
図５において、第４実施例の装飾装置は、それぞれの一辺で折り畳み自在に形成された複数の装飾枠体４１と、各装飾枠体４１，４１，・・の背面側に貼設されるシート材３，３，・・とを備えており、第３実施例の装飾装置３０とは装飾枠体４１の構造は異なるが、その他の構成は第３実施例の装飾装置３０と同じであるので同一構成部分には同一の符号を記載して具体的説明を省略する。
【００２２】
第４実施例の装飾装置における前記装飾枠体４１は、枠主体４１ａの内部には、交互に斜めに交差させて配置した複数本の斜め仕切り材４５，４５，・・によって構成した斜め格子状の仕切り枠４６，４６，・・を設けている。また、枠主体４１ａの内部には、横材３２、縦材３３、及び、斜め仕切り材４５，４５に固定するようにして設けられた装飾具４１ｂが配置されている。装飾具４１ｂは、厚板状の第１帯板材４７、薄板状の第２帯板材４８の適宜の本数からなり、厚板状の第１帯板材４７及び薄板状の第２帯板材４８を相互に組込んだり、直接に横材３２、縦材３３、及び、仕切り材４５に組込んだり接着して家紋の形態で形成されている。
【００２３】
前記各実施例の上下の横材及び左右の縦材、仕切り材は、最も装飾効果が高い木材を使用するのがよいが、アルミ材等の金属材、硬質な樹脂材等であって、表面を木目模様に処理した材質のものも使用することができる。
そして、前記仕切り枠は、縦仕切り材、横仕切り材、及び斜めの仕切り材を組み合わせたものだけではなく、不規則な仕切り材若しくは弧状の仕切り材などを組み合わせた変化に富む形態のものを利用すると更に装飾効果を高めることができる。また、装飾具も、帯板材を組み合わせたり接着するものだけに限定されるものではなく、例えば板材を彫刻したり模様形態の打ち抜き孔を形成したものも使用することができる。
【００２４】
以上説明したように本考案の装飾装置によれば、上下の横材及び左右の縦材によって矩形状の枠主体を構成し、前記枠主体の内部に複数本の仕切り材によって構成した仕切り枠を設け、前記枠主体の内部に、前記横材、縦材及び／又は仕切り枠に固定するようにして装飾具を設け、前記枠主体の背面側にシート材を貼設してなる装飾枠体を、複数枚左右に並列して回動可能に連結してなるものであるから、装飾効果が著しく高くて多数の使用用途があり、また構造が簡単で低廉に製造することができ、取り扱いが著しく良好であり、各種の冠婚葬祭の背景用として利用することができるばかりでなく、サイズによって室内の背景用装飾材として使用できるものである。
【産業上の利用可能性】
【００２５】
本考案は前記実施例のお悔やみ事の祭壇の遺骨やお位牌の背景装飾用の屏風状、衝立障子状の装飾装置、又は、一般家庭における屏風、衝立障子、若しくは仕切り枠等として使用される装飾装置に限定されるものではなく、実用新案登録請求の範囲に記載された本考案を逸脱することがなければ、種々の設計変更が可能であり、例えば、正月の干支の飾り用の屏風、節句の飾り用の屏風に使用される装飾装置等にも使用でき、前記実施例に限定されないことはいうまでもない。
【図面の簡単な説明】
【００２６】
【図１】本考案に係る第１実施例の装飾装置の斜視図である。
【図２】（ａ）は図１の装飾装置を構成する装飾枠の正面図である。  （ｂ）は図２（ａ）の装飾枠のＡ−Ａ線での断面図である。
【図３】本考案に係る第２実施例の装飾装置に適用される装飾枠体の側面図である。
【図４】図４は、本考案に係る第３実施例の装飾装置に適用される装飾枠体の正面図である。
【図５】図５は、本考案に係る第４実施例の装飾装置に適用される装飾枠体の一部の正面図である。
【符号の説明】
【００２７】
１，３０  装飾装置
２，３１，４１  装飾枠体
２ａ，３１ａ，４１ａ  枠主体
２ｂ，３１ｂ，４１ｂ  装飾具
３  シート材
２１，３２  横材
２２，３３  縦材
２３  仕切り材
２３ａ，３６，４６  仕切り枠
２４，３７，４７  厚板状の第１帯板材
２５  細工用板材
２７  蝶番
２８  透明、又は、半透明な板材
３４  横仕切り材
３５  縦仕切り材
３８，４８  薄板状の第２帯板材
３９  湾曲した細工用板材
４５  斜め仕切り材
【図１】
0003102789.tif 000003
【図２】
0003102789.tif 000004
【図３】
0003102789.tif 000005
【図４】
0003102789.tif 000006
【図５】
0003102789.tif 000007